(57)【要約】【課題】依頼者が写真フィルムに撮影されている複数の駒の画像と共に、所望の付加画像を印刷対象物に印刷してインデックスプリントを作成することができるインデックスプリンタを提供する。【解決手段】記録媒体の複数駒の画像Ｑと、付加画像Ｒとを一つの印刷対象物Ｐに印刷してインデックスプリントＩＰを作成するインデックスプリンタ１００において、前記付加画像Ｒを、前記インデックスプリントＩＰの作成を依頼した依頼者より依頼された画像とする。【選択図】　図８
2004082605.tif 000002
【特許請求の範囲】
【請求項１】
記録媒体の複数の駒画像を基にしたサムネイル画像と、
付加画像とを一つの印刷対象物に印刷してインデックスプリントを作成するインデックスプリンタであって、
前記付加画像は、前記インデックスプリントの作成を依頼した依頼者より依頼された画像であることを特徴とするインデックスプリンタ。
【請求項２】
複数の画像が予め記憶された記憶手段を備え、
記録媒体の複数の駒画像を基にしたサムネイル画像と、付加画像とを一つの印刷対象物に印刷したインデックスプリントを作成するインデックスプリンタであって、
前記付加画像として、前記記憶手段に記憶された画像から選ばれた画像を印刷するか、或いは、前記インデックスプリントの作成を依頼した依頼者より依頼された画像を印刷するかを選択可能に構成されていることを特徴とするインデックスプリンタ。
【請求項３】
前記付加画像に、前記サムネイル画像の少なくとも一部を重ねて印刷することを特徴とする請求項１又は２に記載のインデックスプリンタ。
【請求項４】
前記複数の駒画像の中から選択された少なくとも１の画像を付加画像として印刷することが可能であることを特徴とする請求項３に記載のインデックスプリンタ。
【発明の詳細な説明】
【０００１】
【発明の属する技術分野】
本発明は、記録媒体の複数駒の画像をサムネイル画像として一つの印刷対象物に印刷するインデックスプリンタに関する。
【０００２】
【従来の技術】
近年、１本の写真フィルムに撮影されている複数の駒を１枚の印画紙にサムネイル画像として縮小してプリントしたインデックスプリントが普及している。インデックスプリントには、サムネイル画像の他に駒の番号が記録されているため、撮影済みの写真フィルムにどのような被写体が記録されているかが目視で容易に把握できる他、焼き増し時に駒を選ぶことが簡単にできる。また、カートリッジ（撮影済みのフィルムが入っている）のＩＤナンバーも記録されているためカートリッジの管理も容易になっている。インデックスプリントの普及に伴い、顧客の間で印画紙に、サムネイル画像や駒の番号などの他に例えば、インデックスプリントを他のインデックスプリントと識別するための付加画像をプリントすることに対する要望が高まってきた。
【０００３】
このような場合に用いられる装置の例としては、例えば特開平７−３３３７３７などがあげられる。同号は、サムネイル画像と、付加画像とを一つの印画紙にプリントするインデックスプリンタを示すものである。このインデックスプリンタには、複数種の付加画像を記憶する記憶手段と、付加画像を指定する指定手段とが備えられ、指定手段により指定された付加画像が前記サムネイル画像と共に印画紙にプリントされる。このインデックスプリンタでは、付加画像としてプリントできるのは前記記憶手段に予め記憶されているもののみであり、顧客が所望する画像を付加画像とすることができないという問題があった。
【０００４】
【発明が解決しようとする課題】
本発明は、斯かる従来技術の問題点を解決するべくなされたものであり、インデックスプリントの作成を依頼した依頼者がサムネイル画像と共に、所望の付加画像を印刷対象物に印刷してインデックスプリントを作成することができるインデックスプリンタを提供することを課題とする。
【０００５】
【課題を解決するための手段】
斯かる課題を解決するべく、本発明は、記録媒体の複数の駒画像を基にしたサムネイル画像と、付加画像とを一つの印刷対象物に印刷してインデックスプリントを作成するインデックスプリンタであって、前記付加画像は、前記インデックスプリントの作成を依頼した依頼者より依頼された画像であることを特徴とするインデックスプリンタを提供するものである。
【０００６】
斯かる発明によれば、記録媒体の複数の駒画像と共に印刷対象物に印刷される付加画像として、依頼者より依頼された画像を使用することができる。従って依頼者は、付加画像として、例えば装飾としての面白味のある画像や、インデックスプリントの識別のために最も適していると考えられる所望の画像を使用することができる。なお、前記依頼者より依頼された画像には、インデックスプリンタに具備されている記憶手段に予め記憶されている画像は含まないものとする。
【０００７】
また、本発明は、複数の画像が予め記憶された記憶手段を備え、記録媒体の複数の駒画像を基にしたサムネイル画像と、付加画像とを一つの印刷対象物に印刷したインデックスプリントを作成するインデックスプリンタであって、前記付加画像として、前記記憶手段に記憶された画像から選ばれた画像を印刷するか、或いは、前記インデックスプリントの作成を依頼した依頼者より依頼された画像を印刷するかを選択可能に構成されていることを特徴とするインデックスプリンタを提供するものである。
【０００８】
斯かる発明によれば、記録媒体の複数の駒画像と共に印刷対象物に印刷される付加画像として、インデックスプリンタの備える記憶手段に予め記憶されている画像を使用するか、或いは依頼者自身の依頼する画像を使用するかを選択することができる。従って、依頼者にとっては、付加画像を広い範囲から選ぶことができる。また、依頼者に対して写真の現像、焼き付けなどのサービスを提供する業者にとっては、前記記憶手段に例えば、当該業者に係る広告などを予め記憶させておき付加画像として使用することにより営業上の効果を上げることが期待できる。なお、記憶手段に予め記憶されている画像には、画像化した文字も含まれるものとする。
【０００９】
好ましくは、前記インデックスプリンタは、前記付加画像に、前記サムネイル画像の少なくとも一部を重ねて印刷する。
【００１０】
斯かる発明によれば、依頼者は、前記記憶手段に記憶された画像から選ばれた画像か、或いは前記インデックスプリントの作成を依頼した依頼者より依頼される画像からなる付加画像に、前記サムネイル画像を重ねて印刷することができる。従って、印刷対象物上において、前記付加画像及び前記サムネイル画像を印刷する位置が制限されず、それぞれ任意の位置に印刷することができるため、画像のレイアウトの自由度が増し、付加画像を例えば装飾やインデックスプリントの識別などのためにより多くの態様で利用することができる。
【００１１】
好ましくは、前記インデックスプリンタは、前記複数の駒画像と、前記付加画像とを読み取る読み取り手段を備え、当該読み取り手段は、前記複数の駒画像を前記付加画像より低解像度で読み取る。
【００１２】
斯かる発明によれば、サムネイル画像の基となる前記記録媒体の複数の駒画像は、前記付加画像用画像より低解像度で読み取られるため画像のデータ量が少なく例えば、色調のマニュアル調整の時などの処理速度が速く、インデックスプリンタが使い勝手のよいものとなる。なお、前記複数駒の画像が低解像度で読み取られるのは、サムネイル画像は被写体の確認に用いられるため高画質の印刷をする必要がないためである。また、付加画像用画像は前記複数の駒画像より高解像度で読み取られるため、例えば装飾や他のインデックスプリントとの識別などの目的に使用される高画質の画像として印刷することができる。
【００１３】
好ましくは、前記インデックスプリンタは、　前記複数の駒画像の中から選択された少なくとも１の画像を付加画像として印刷することが可能とされる。
【００１４】
斯かる発明によれば、サムネイル画像の基となる前記記録媒体の複数の駒画像の中から、例えば、それらの画像を代表していると認められる画像を付加画像として選ぶことができる。この場合は、当該付加画像によりそのインデックスプリントにどのような画像が記録されているかを容易に推測することができる。
【００１５】
前記記録媒体は、好ましくは現像済写真フィルムである。また、前記読み取り手段は、好ましくは前記複数の駒画像を読み取るためのラインセンサである。本発明においては、前記写真フィルムと、前記ラインセンサとを相対移動させることによりプレスキャン及び本スキャンを行い、前記プレスキャンにおいてサムネイル画像用の前記複数の駒画像の読み取りを行い、前記本スキャンにおいて付加画像用の前記複数の駒画像の読み取りを前記プレスキャンより高解像度で行う。
【００１６】
斯かる発明によれば、プレスキャンにおいてサムネイル画像の基となる前記記録媒体の複数の駒画像の読み取りが本スキャンにおける付加画像用の画像より低い解像度で行われる。従って、前記記録媒体の複数駒の画像のデータは小さなものとなるためインデックスプリンタ内での各種処理における処理速度が速く、インデックスプリンタが使い勝手のよいものとなる。
【００１７】
前記記録媒体は、好ましくは現像済写真フィルムである。また、前記読み取り手段は、好ましくは前記複数の駒画像を読み取るためのラインセンサである。本発明においては、前記写真フィルムと、前記ラインセンサとを相対移動させることにより前記複数の駒画像の読み取りを行い、前記複数の駒画像を間引き処理により低解像度化してサムネイル画像とする。
【００１８】
斯かる発明によれば、前記複数の駒画像の中から選ばれた少なくとも１の画像を付加画像として印刷するに当たり、写真フィルムの１回の読み取りのみで付加画像のデータと、当該付加画像より低解像度のサムネイル画像のデータとを取得することができる。
【００１９】
なお、上述した発明において、記録媒体には現像済みの写真フィルム、プリントされた写真、メモリカード又はＣＤ−ＲＯＭなどが含まれるものとする。また、印刷対象物には、銀塩写真に用いられる印画紙の他、昇華型熱転写プリンタなどのプリンタで使用される受像紙も含まれる。
【００２０】
【発明の実施の形態】
以下、貼付図面を参照しつつ、本発明の実施形態について説明する。
図１は、本発明の第１の実施形態に係るインデックスプリンタの一例としての写真処理装置の全体構成を示す一部断面図、図２は、図１に示す制御部周辺の構成を示すブロック図である。
【００２１】
図１及び図２に示すように、本実施形態に係る写真処理装置１００は、デジタル式の写真処理装置であり、印刷対象物としての長尺な感光材料Ｐを巻回して収容したマガジン５と、切断部２と、搬送ユニット６と、ローラ対３と、露光処理部４と、感光材料Ｐを現像処理する現像処理部８と、現像処理の過程で濡れた感光材料Ｐを乾燥させる乾燥処理部９と、制御部１とを備えている。また、写真処理装置１００は、図３に示すようなスキャナユニット１９を備えている。
【００２２】
切断部２は、マガジン５から引き出された長尺な感光材料Ｐを所定長さに切断する。所定長さに切断された感光材料Ｐは、搬送ユニット６により露光処理部４へ水平方向に搬送される。
【００２３】
露光処理部４は、搬送ユニット６から受け取った感光材料Ｐを副走査方向に搬送しながら感光材料Ｐの一方の面（乳剤面）を露光（いわゆる走査露光）する。露光処理部４は、搬送中の感光材料Ｐを露光する露光ヘッド１０と、露光中の感光材料Ｐを一定速度で搬送するローラ対３とで構成されている。
【００２４】
スキャナユニット１９は、光源であるハロゲンランプ２０と、ミラー２１と、記録媒体としての写真フィルムをセットして搬送するフィルムキャリア２２と、画像データを読み取る読み取り手段としてのラインセンサ２３とを具備している。　ハロゲンランプ２０からの光はミラー１０により写真フィルムに導かれ、写真フィルムを透過した光は、ラインセンサ２３により読み取られる。フィルムキャリア２２により写真フィルムを搬送し、写真フィルムと、ラインセンサ２３とを相対移動させることにより写真フィルムに形成された駒画像Ｑの画像データを読み取ることができる。また、写真処理装置１００は、メモリーカードやＣＤ−ＲＯＭに記憶された画像データの読取装置７も備えており、更に写真プリントのような反射原稿から画像データを読み込むスキャナ（図示せず）も備えている。読み取られた画像データは、制御部１に送られる。
【００２５】
制御部１は、図２に示すようにＣＰＵ１３と、記憶部１４と、Ａ／Ｄ変換部１５と、入力部１６と、ディスプレイ１７とを具備している。制御部１は、ラインセンサ２３や読取装置７から送られた画像データを演算処理して記憶部１４に記憶保存する他、露光処理部４などの動作を制御する。また入力部１６は、キー操作部１８を具備している。記憶部１４には、感光材料Ｐにサムネイル画像と共にプリントされる付加画像Ｒ及びメモ欄、ロゴ等のデータが予め記憶保存されている。また、記憶部１４には、プリントの要否を示すフラグが、記憶している画像データ毎に格納されている。フラグの値は、プリントの要否に対応した値をキー操作部１８のキーの操作により設定することができる。
【００２６】
現像処理部８は、複数の槽からなる現像処理槽１２と、感光材料Ｐの前記現像処理槽への浸漬と引き上げとを行えるように適宜配設されて並列状態にある複数のローラ対３とを備えている。現像処理槽１２の複数の槽には、現像液が入れられており、露光処理部４にて露光処理が施された感光材料Ｐが、前記複数のローラ対３にガイドされて各槽の現像液への浸漬と現像液からの引き上げとが繰り返された後、乾燥処理部９へと搬送されて乾燥処理が行われ、現像液の浸漬による感光材料Ｐの濡れが乾燥される。
【００２７】
以下、斯かる構成を有する第１の実施形態に係る写真処理装置１００の動作について図４のフローチャートにより説明する。なお、以下の説明において、依頼者から依頼された画像（以下、依頼者の画像という）の記録されているフィルムと、サムネイル画像の基となる複数の駒画像Ｑが記録されている現像済写真フィルムとは、別個のフィルムである。まず、依頼者の画像の記録されているフィルムをフィルムキャリア２２にセットする（ステップＳ１）。キー操作部１８から読み取り開始の指示を行うと、フィルム上の駒画像Ｑが読み取られる（ステップＳ３）。読み取りは、１駒を画素数２０００×２８００画素で読み取る本スキャンにより実施される。読み取られた駒画像Ｑのデータは、Ａ／Ｄ変換部１５に送信されてデジタルデータ化されてから記憶部１４にて記憶される。次に、サムネイル画像の基となる複数の駒画像Ｑが記録されている現像済写真フィルムをフィルムをフィルムキャリア２２にセットし（ステップＳ４）、上記の依頼者の画像の記録されているフィルムの読み取りと同様に読み取り（ステップＳ５、Ｓ６）、記憶部１４に記憶させる。但し、読み取りは、１駒を画素数２５６×３８４画素で読み取るプレスキャンにより実施される。
【００２８】
次に、図６のように、プレスキャンで読み取られたフィルム上の駒画像Ｑの内の６駒の画像をディスプレイ１７の画面上に表示させる（ステップＳ７）。各駒は、撮影された順番に左上から右方向に、そして、左下から右方向に並んでいる。即ち、画像Ｑ１、画像Ｑ２、画像Ｑ３、画像Ｑ４、画像Ｑ５、画像Ｑ６が撮影された順番として並んでいる。２０は、プリントが不要として設定されたパス設定表示を示し、本図においては、画像Ｑ２、画像Ｑ４、画像Ｑ６にパス設定表示がされている。また、それぞれの画像Ｑ１〜Ｑ６の下部に示されたものは、その駒に対する色調及び濃度の補正データ及びプリント枚数を示すプリントデータである。さらに、２１はカーソルであり、本図では画像Ｑ１に合わされている。カーソル２１が合わされた画像がアクティブとなり、この画像に対して各種のキー操作が可能となる。
【００２９】
オペレータは、ディスプレイ１７上の各駒の画像を目視で観察して極端な露出の過不足などのためにプリントを行うことが適当ではないと判断した駒、及び依頼者からプリントの要求のなかった駒に対し、キー操作によりパス設定及びフラグの設定を行う（プリントを行わない駒のフラグを１とする）（ステップＳ８、Ｓ９）。また、オペレータは、ディスプレイ１７に表示されている各駒画像Ｑについて色や濃度の補正が必要か否かを目視により判断し（ステップＳ１０）、補正が必要であるときは、キー操作部１８に備えられた色補正キー及び濃度補正キーより補正条件を入力して色調と濃度の補正を行うマニュアル補正を行う（ステップＳ１１）。制御部１は、記憶部１４に記憶されている駒画像Ｑのデータの内、前記マニュアル補正が行われた駒画像Ｑのデータを前記補正条件に基づき補正する。
【００３０】
ディスプレイ１７の画面上に表示された前記６駒の画像Ｑ１〜Ｑ６について、プリントの要否の判断及びマニュアル補正の要否の判断が終了すると、オペレータは、キー操作部１８から「終了」のキー入力を行う（ステップＳ１２）。前記「終了」のキー入力により制御部１は、１の駒を画素数２０００×２８００画素で行う本スキャンを開始する（ステップＳ１９）。本スキャンは、プリントの要否の判断においてプリントをすると判断され、パス設定がされていない駒についてのみ実施される。本スキャンは、フィルムをパルスモータ（図示せず）により搬送して、ラインセンサにより前記６駒の画像Ｑ１〜Ｑ６の内の１の駒の画像を読み取る。
【００３１】
読み取られた駒画像Ｑのデータは、Ａ／Ｄ変換部１５に送信されてデジタルデータ化され、更に制御部１にて当該駒のプレスキャンデータに対する補正条件に基づいて補正が行われ（ステップＳ２０）、記憶部１４にて記憶される。前記記憶部１４に記憶された本スキャンにより得られたデータは次いで露光処理部４に送信され、露光ヘッド１０により感光材料Ｐに露光（ステップＳ２１）及び現像・乾燥処理（ステップＳ２２）がされ、プリントが作成される。１の駒画像Ｑの本スキャン及び露光が終了すると、制御部１は残りの駒画像Ｑの内プリントを行う駒画像Ｑについて順次ステップＳ１９〜Ｓ２２を実施する。
【００３２】
オペレータにより、キー操作部１８から前記「終了」のキー入力が行われたとき、制御部１は、前記マニュアル補正の要否の判断がフィルムに記録されている駒画像Ｑ全てについて行われたか否かを判断し（ステップＳ１３）、行われていなければステップ４に戻りフィルム上に続いて記録されている６駒の画像についてディスプレイ表示（ステップＳ７）、プリントの要否の判断（ステップＳ８）、マニュアル補正（ステップＳ１０）、本スキャン（ステップＳ１９）、露光（ステップＳ２０）及び現像・乾燥処理（ステップＳ２２）を実施する。
【００３３】
フィルムに記録されている駒画像Ｑ全てについてのマニュアル補正の要否の判断が終了すると、次にステップＳ１〜Ｓ３で読み込んだ付加画像Ｒである依頼者の画像と、記憶部１４に予め記憶されているメモ欄、ロゴ等とを合成する合成処理によりインデックスプリントＩＰの台紙の画像データを作成する。合成処理にあたっては、初めにディスプレイ１７上で、前記付加画像Ｒに対するメモ欄、ロゴ等の位置を決める位置決めが実施されるが、このとき、前記付加画像Ｒのデータとして、本スキャンにより１駒の画素数２０００×２８００画素で読み込まれた依頼者の画像をそのまま使用すると位置決めを高速度で行うことができない。そこで、前記付加画像Ｒのデータとして、本スキャンで読み込まれたデータに対して別途間引き処理を行い、１駒の画素数を２５６×３８４画素としたものを使用して位置決め作業を高速化する。位置決めにより前記付加画像Ｒに対するメモ欄、ロゴ等の位置が決定すると、本スキャンで読み込まれた付加画像である依頼者の画像にメモ欄、ロゴ等を貼り付けて合成し、インデックスプリントＩＰの台紙のデータを作成する（ステップＳ１４）。また、前記位置決め作業時オペレータは、台紙上のサムネイル画像としての駒画像Ｑの位置及び大きさの設定も行う。
【００３４】
制御部１は、前記プレスキャンにより読み込まれ、記憶部１４に記憶されている駒画像Ｑの内、プリントの対象となっている駒画像Ｑをフラグを参照して選び（フラグの値が０のもの）、前記インデックスプリントＩＰの台紙にステップＳ１４で設定した位置に、同じくステップＳ１４で設定した大きさの駒画像Ｑをサムネイル画像として貼り付けてインデックスプリントＩＰ全体の画像データを作成する（ステップＳ１５）。前記インデックスプリントＩＰの全体の画像データは、記憶部１４に送信され記憶される。なお、ステップＳ１５で設定したサムネイル画像としての駒画像Ｑの大きさが、プレスキャンで読み込んだ駒画像Ｑより小さい場合は、プレスキャンで読み込んだ駒画像Ｑのデータを、間引き処理により画素数を減少させてからインデックスプリントＩＰの台紙に貼り付けるとよい。
【００３５】
制御部１は、本スキャンのデータによる感光材料Ｐに対する露光がフィルムに記録されている全駒画像Ｑの内、プリントの対象になっている駒画像Ｑ全てについて終了したか否かを判断する（ステップＳ１６）。これは、インデックスプリントＩＰが必ず一連のプリントの最後にプリントされるようにして、オペレータがインデックスプリントＩＰを他のプリントの中から容易に探し出すことができるようにするためである。プリントの対象になっている駒画像Ｑ全てについて露光が終了したときは、記憶部１４に記憶されている前記インデックスプリントＩＰのデータを露光処理部４に送信し、感光材料Ｐに対して露光（ステップＳ１７）及び現像・乾燥（ステップＳ１８）を行って、インデックスプリントＩＰを作成する。図７に、本実施形態に係る写真処理装置１００にて作成したインデックスプリントＩＰの例を示す。
【００３６】
次に本発明の第２の実施形態に係る写真処理装置について説明する。本発明の第２の実施形態に係る写真処理装置の構成は、第１の実施形態に係る写真処理装置１００のものと同一であるため説明は省略する。
【００３７】
図５は、本発明の第２の実施形態に係る写真処理装置の動作を示すフローチャートである。本実施形態に係る写真処理装置の動作の内、第１の実施形態に係る写真処理装置１００のものと同一のものについては、同一符号を付してあり、その説明は省略する。本実施形態では、オペレータは最初にキー操作部１８から、付加画像Ｒが記憶部１４に予め記憶されている画像であるか、依頼者の画像であるかを識別する信号を入力し（ステップＳ３１）、記憶部１４に記憶させる。具体的にはディスプレイ１７に、「１．記憶画像」及び「２．依頼者の画像」を表示し、オペレータがキー操作部１８から「１」を入力したときは記憶部１４に「１」が記憶され、「２」を入力したときは記憶部１４に「２」が記憶される。制御部１は、図５に示すフローチャート中の、２つの分岐（ステップＳ３２、Ｓ３３）において、記憶部１４に記憶されている前記信号を参照して以降の処理の選択を行う。付加画像Ｒとして依頼者からフィルムにより提供された画像を使用する場合は、前記フィルム上の画像を読み込むためのステップＳ１〜Ｓ３が実行される。そして、フィルム上の全駒に対するマニュアル補正の要否判断（ステップＳ７〜Ｓ１３）が終了した後、ステップＳ１４にて、前記ステップＳ１〜Ｓ３で読み込まれた依頼者の画像を付加画像ＲとしてインデックスプリントＩＰの台紙の画像データが作成される。付加画像Ｒとして、記憶部１４に予め記憶されている画像を使用する場合は、記憶部１４に記憶された複数の画像をディスプレイ１７に表示し（ステップＳ３４）、オペレータはこれらの中から付加画像Ｒとして使用する画像を選択する（ステップＳ３５）。
【００３８】
なお、第１の実施形態及び第２の実施形態では、依頼者から依頼された付加画像Ｒは写真フィルムに記録されているが、本発明はこれに限るものではなく、プリントされた写真のような反射原稿に記録されたもの或いは、メモリーカードやＣＤ−ＲＯＭ等に記録されたものであってもよい。
【００３９】
ここで、第１の実施形態及び第２の実施形態のステップＳ１４において、オペレータが台紙上のサムネイル画像としての駒画像Ｑの位置を設定するとき、当該駒画像Ｑの少なくとも一部を付加画像Ｒと重ねるようにしてもよい。図８は、サムネイル画像としての駒画像Ｑと、付加画像Ｒとを重ねてプリントした例である。
【００４０】
また、上記第１の実施形態及び第２の実施形態においては、写真処理装置は、付加画像Ｒを１駒の画素数２０００×２８００画素で（ステップＳ３）、サムネイル画像の基となる複数の駒画像Ｑを１駒の画素数２５６×３８４画素で読み取っている（ステップＳ６）が、本発明はこれに限るものではなく、付加画像Ｒ及びサムネイル画像の基となる複数の駒画像Ｑは種々の画素数で読み取ることができる。
【００４１】
また、上記第１の実施形態及び第２の実施形態において、付加画像Ｒである依頼者の画像の記録されているフィルムと、サムネイル画像の基となる複数の駒画像Ｑが記録されている現像済写真フィルムとが、別個のフィルムである場合について説明したが、本発明はこれに限るものではなく、１本のフィルム上に記録された前記複数の駒画像Ｑの中から選択した画像を付加画像Ｒとして使用することもできる。この場合、前記付加画像Ｒとして使用する駒画像Ｑは、依頼者が、インデックスプリントＩＰの作成を依頼するとき現像所に持参した現像済み或いは未現像のフィルムの駒画像Ｑの番号により指定することができる。また、依頼者が未現像のフィルムを現像所に持参した場合は現像完了後に依頼者がステップＳ７で画面に表示されている駒画像Ｑの中から選択して指定するようにしてもよい。また、フィルムの何れの駒にも類似の被写体が記録されている場合は、依頼者が付加画像Ｒとして使用する駒画像Ｑを指定することなく、オペレータに駒画像Ｑの選定を一任するようにしてもよい。
【００４２】
また、上記第１の実施形態及び第２の実施形態において、１本のフィルム上に記録された前記複数の駒画像Ｑの中から選択した画像を付加画像Ｒとして使用する場合、読み取り手段をラインセンサとし、フィルムをパルスモータにより搬送してラインセンサと相対移動させ（ステップＳ２）、ラインセンサによりフィルム上の各駒画像Ｑが読み取られるようにしてもよい。ここで、プレスキャンによりサムネイル画像の基となる複数の駒画像Ｑの読み取りを１駒の画素数２５６×３８４画素で行い、本スキャンにより付加画像Ｒの駒画像の読み取りを１駒の画素数２０００×２８００画素で行うが、本発明はこれに限るものではなく、本スキャン、プレスキャン共に画像の読み取りは種々の画素数により行うことができる。
【００４３】
或いは、上記第１の実施形態及び第２の実施形態において、１本のフィルム上に記録された前記複数の駒画像Ｑの中から選択した画像を付加画像Ｒとして使用する場合、読み取り手段をラインセンサとし、フィルムをパルスモータにより搬送してラインセンサと相対移動させ（ステップＳ２）、ラインセンサによりフィルム上の複数の駒画像Ｑが読み取られるようにしてもよい。ここで、複数の駒画像Ｑの読み取りを１回のみ行い、読み取られたデータを間引き処理により低解像度化してサムネイル画像のデータとしてもよい。
【００４４】
以上の各実施形態において、インデックスプリンタの一例として、写真フィルムに形成された各駒画像Ｑについてのプリントと、インデックスプリントのプリントとを同一の装置で行う写真処理装置１００について説明したが、本発明はこれに限るものではなく、インデックスプリントのプリントのみを例えば昇華型プリンタにより行うようにしてもよい。また、駒画像Ｑ及び付加画像Ｒを読み取る読み取り手段もラインセンサに限るものではなく、例えばエリアセンサなどを用いてもよい。
【００４５】
なお、以上の各実施形態においては、インデックスプリントＩＰが通常の写真プリントと同形状の矩形のプリントである場合について説明したが、本発明はこれに限るものではなく、ＣＤ等の円盤状の画像記録ディスクに貼付するために、円形に形成されたものであってもよい。また、プリントとマニュアル補正の要否を判断するときにディスプレイ１７に表示する画像の数も、６駒に限定されるものではなく、例えば１２駒、或いは１駒であってもよい。また、写真フィルムも、ネガフィルムであっても、ポジフィルムであってもよい。
【００４６】
【発明の効果】
以上に説明したように、本発明に係るインデックスプリンタによれば、記録媒体の複数駒の画像と共に印刷対象物に印刷される付加画像として、依頼者の画像を使用することができる。従って依頼者は、付加画像として、例えば装飾としての面白味のある画像や、インデックスプリントの識別のために最も適していると考えられる所望の画像を使用することができる。
【図面の簡単な説明】
【図１】図１は、本発明の第１の実施形態に係る写真処理装置の全体構成を示す一部断面図である。
【図２】図２は、本発明の第１の実施形態に係る制御部周辺の構成を示すブロック図である。
【図３】図３は、本発明の第１の実施形態に係る写真処理装置のスキャナユニットを示す図である。
【図４】図４は、本発明の第１の実施形態に係る写真処理装置の動作を説明するフローチャートである。
【図５】図５は、本発明の第２の実施形態に係る写真処理装置の動作を説明するフローチャートである。
【図６】図６は、本発明の第１の実施形態及び第２の実施形態に係るプレスキャンで読み取られた駒画像の内の６駒の画像を表示するディスプレイの画面を示す図である。
【図７】図７は、本発明の第１の実施形態に係る写真処理装置にて作成したインデックスプリントの例を示す図である。
【図８】図８は、本発明の第１の実施形態及び第２の実施形態に係る写真処理装置にて作成したインデックスプリントの例を示す図である。
【符号の説明】
１００　写真処理装置
ＩＰ　インデックスプリント
Ｐ　感光材料
Ｑ　　駒画像
Ｒ　付加画像
【図１】
2004082605.tif 000003
【図２】
2004082605.tif 000004
【図３】
2004082605.tif 000005
【図４】
2004082605.tif 000006
【図５】
2004082605.tif 000007
【図６】
2004082605.tif 000008
【図７】
2004082605.tif 000009
【図８】
2004082605.tif 000010